(57)【要約】      （修正有）【課題】鉄骨に連結される螺旋状頭付スタッドを提供する。【解決手段】螺旋状頭付スタッドは抗力体１を有する。前記抗力体１の所定の位置には連結部１１が設けられ、前記連結部１１内部は空洞であり且つ少なくとも一つの連結凹部１１１が設けられる。前記抗力体１の一端には環状部２が設けられ、前記環状部２の長さと幅は、前記抗力体１より大きい。それにより、前記連結部１１を連結体に連結し、さらに前記連結体を板体と支持体に貫通させ、その後さらに固定体とロック固定体によって前記連結体の貫通端に連結させることによって、前記板体と前記支持体を固定することができる。以上により、板体と支持体を固定することができると同時に、鉄骨の抗力強度を強めることができる。【選択図】図２
0003204417.tif 000002
【実用新案登録請求の範囲】
【請求項１】
鉄骨に連結される螺旋状頭付スタッドであって、
螺旋状頭付スタッドは抗力体を有し、前記抗力体の所定の位置には連結部が設けられ、前記連結部内部は空洞であり、且つ少なくとも一つの連結凹部が設けられ、前記抗力体の一端には環状部が設けられることを特徴とする、螺旋状頭付スタッド。
【請求項２】
前記抗力体の中心箇所には、前記連結部が設けられることを特徴とする、請求項１に記載の螺旋状頭付スタッド。
【請求項３】
前記連結部は、連結体の一端に連結されることを特徴とする、請求項２に記載の螺旋状頭付スタッド。
【請求項４】
前記抗力体の他端には溶接部が設けられ、前記溶接部によって、鉄骨に熔接されることを特徴とする、請求項２に記載の螺旋状頭付スタッド。
【請求項５】
前記抗力体は、頭付スタッドであることを特徴とする、請求項４に記載の螺旋状頭付スタッド。
【請求項６】
前記環状部の長さと幅は、前記抗力体より大きいことを特徴とする、請求項１に記載の螺旋状頭付スタッド。
【請求項７】
前記環状部は、円形、或は、矩形、或は、三角形、或は、六角形、或は、八角形であることを特徴とする、請求項６に記載の螺旋状頭付スタッド。
【請求項８】
前記連結凹部は、螺旋状凹溝であることを特徴とする、請求項１に記載の螺旋状頭付スタッド。
【考案の詳細な説明】
【技術分野】
【０００１】
本考案は螺旋状頭付スタッドに関し、特に抗力体を鉄骨に連結することで鉄骨の抗力強度を強め、連結部によって連結体、固定体及びロック固定体に連結することで板体と支持体を固定することができる螺旋状頭付スタッドに関する。
【背景技術】
【０００２】
一般的に良く見られる鉄骨構造内の壁面建築においては、大多数が、まず鉄骨梁で主な骨組みを組み、その後、さらに、メイン鉄骨フレームの領域内に間隔をあけてボルトを溶接した後、前記ボルトに鉄筋、さらに外側フレームのプレートと支持鋼板に連結する。その後、さらに、前記鋼体をプレートと支持鋼板を貫通させた後、固定板とナットに連結することによって前記プレートと前記支持鋼板を固定し、最後にコンクリートを注入する作業を行い、家の建築の壁面を建造する。しかしながら、一般的なＲＣ構造内の鉄筋フレームとメイン鉄骨の骨組みの接合は、前記ボルトを、間隔をあけてメイン鉄骨の板面上に溶接して接合し、さらに鉄筋に連結する。このため、その鉄骨骨組み工程は、施工時間がかかるだけでなく、建造コストも増加する。
【考案の概要】
【考案が解決しようとする課題】
【０００３】
一般的な建物の建築を行う時、通常は、複数の鉄骨の梁を建築の骨組みにし、さらに、その梁の抗力強度を高めるために、通常、複数の頭付スタッドを、間隔をあけて前記鋼?表面に連結させる。そして、その頭付スタッドを連結体に連結し、連結体をさらに固定体とロック固定体に連結することで、プレートと支持鋼板を固定することができ、後続のコンクリートを注入作業を行いやすくする。
【０００４】
上述の効果を達成するために、本考案は、鉄骨に連結される螺旋状頭付スタッドを提供する。
【課題を解決するための手段】
【０００５】
本考案による螺旋状頭付スタッドは抗力体を有する。前記抗力体の所定の位置には連結部が設けられ、前記連結部内部は空洞であり且つ少なくとも一つの連結凹部が設けられ、前記抗力体の一端には環状部が設けられる。
【０００６】
前記抗力体の中心箇所には前記連結部が設けられる。
【０００７】
前記抗力体の他端には溶接部が設けられ、前記溶接部により鉄骨と溶接される。
【０００８】
前記抗力体は頭付スタッドである。
【０００９】
前記連結部は、連結体の一端と連結される。
【００１０】
前記環状部の長さと幅は、前記抗力体より大きい。
【００１１】
前記環状部は、円形、或は、矩形、或は、三角形、或は、六角形、或は、八角形である。
【００１２】
前記連結凹部は、螺旋状凹溝である。
【図面の簡単な説明】
【００１３】
【図１】本考案の外観を示した斜視図である。
【図２】本考案の断面図である。
【図３】本考案の連結体の使用状態図である。
【図４】本考案の板体を固定した使用状態図である。
【図５】本考案の板体を固定した側面図である。
【図６】本考案の固定幅を示した使用状態図である。
【図７】本考案の実施例を示した図である。
【考案を実施するための形態】
【００１４】
図１から図３は、本考案の外観を示した斜視図、断面図及び連結体の使用状態図である。図１〜図３に示すように、本考案による螺旋状頭付スタッドは、主に、抗力体１を有し、前記抗力体１の中心箇所には連結部１１が設けられ、前記連結部１１内部は空洞であり且つ少なくとも一つの連結凹部１１１が設けられる。前記抗力体１の一端には環状部２が設けられ、前記環状部２の長さと幅は前記抗力体１より大きく、前記抗力体１の他端には溶接部１２が設けられ、前記溶接部１２によって鉄骨３と溶接される。
【００１５】
前記抗力体１は頭付スタッドである。
【００１６】
前記連結部１１は、連結体４の一端と連結される。
【００１７】
前記環状部２は、円形、或は、矩形、或は、三角形、或は、六角形、或は、八角形である。
【００１８】
前記連結凹部１１１は、螺旋状凹溝である。
【００１９】
図３から図５は、本考案の連結体の使用状態図及び板体の使用状態図である。図に示すように、前記抗力体１の他端は前記鉄骨３と溶接され、前記抗力体１の中心箇所には前記連結部１１が設けられ、前記連結部１１によって前記連結体４の一端に連結され、前記連結体４の他端は、板体５及び支持体６を貫通し、前記支持体６は、前記板体５の外側に設けられ、前記支持体６の一面は、前記板体５の一面に張り合わされることにより前記板体５を支持することができる。また、前記連結体４の他端は固定体７に連結され、前記固定体７の一面は、前記支持体６の他面に押し付けられ、前記連結体４の他端はロック固定体８に連結される。前記ロック固定体８は、前記固定体７の他面に螺合され、それにより前記固定体７を固定することができる。前記固定体７の押し付け力と前記ロック固定体８の螺合力により、前記支持体６の支持力を高めることができ、それにより前記板体５を安定して固定することができる。前記板体５と前記鉄骨３の間には、支持鉄筋９が設けられ、また、前記板体５と前記鉄骨３の間は、所定の空洞空間を有する。この空洞空間にコンクリートを注入することで、壁面の建築を行うことができる。以上のように、板体と支持体を固定することができると同時に鉄骨の抗力強度を高めることができる。
【００２０】
図６は、本考案の固定幅を示した使用状態図である。図６に示すように、各前記抗力体１に設けられた前記連結部１１は、前記連結体４に連結される。また、前記連結体４の長さは、使用者の必要に応じて調整される。その内の一つの前記連結体４を長くした場合は、前記板体５及び前記支持体６を貫通させることによって、前記固定体７及び前記ロック固定体８に固定させることができる。そして、その他の前記連結体４の長さを短くした場合は、前記連結体４の他端を前記板体５の他面に押し付けることで、前記板体５の他面を支え、且つ、前記板体５と前記支持鋼体９の間の距離を効果的に制御することができる。
【００２１】
図７は、本考案の実施例を示した図である。図に示すように、前記環状部２は、円形、矩形、三角形、六角形、八角形、或は、その他の幾何学図形からなり、いずれも、本考案の同様な効果を得ることができる。
【符号の説明】
【００２２】
１      抗力体
１１    連結部
１１１  連結凹部
１２    溶接部
２      環状部
３      鉄骨
４      連結体
５      板体
６      支持体
７      固定体
８      ロック固定体
９      支持鉄筋
【図１】
0003204417.tif 000003
【図２】
0003204417.tif 000004
【図３】
0003204417.tif 000005
【図４】
0003204417.tif 000006
【図５】
0003204417.tif 000007
【図６】
0003204417.tif 000008
【図７】
0003204417.tif 000009